(57)【要約】【課題】装置のコンパクト化、冷却効率のアップおよび低コスト化を行うために、安価で簡単な静電対策を行った装置を提供することにある。【解決手段】ファンモータやその近傍の束線経路等の電気部品に対する静電対策は、ファンモータの略中心および束線経路を通る鋼線を装置側板等の金属部材（接地されている部材）に取り付ける。この鋼線の取り付け方法は鋼線の両端部を装置側板等の金属部材（アースの取れている部材）に引っ掛けることと、鋼線自体のたわみにより取付ける。【選択図】        図１
2004156507.tif 000002
【特許請求の範囲】
【請求項１】
装置を冷却するためのファンモータを有する装置において、前記ファンモータの略中心を通る鋼線を有することを特徴とする装置。
【請求項２】
装置を冷却するためのファンモータと前記ファンモータ近傍を通る束線経路を有する装置において、前記ファンモータの略中心または前記束線経路の少なくとも一方を通る鋼線を有することを特徴とする。
【請求項３】
請求項１または２に記載の装置において、少なくとも１つの板金部品を有し、前記鋼線の一方の端部を前記板金部品に引っ掛け、もう一方の端部を他部品または前記板金部品にたわませ引っ掛けることで取り付けることを特徴とする。
【発明の詳細な説明】
【０００１】
【発明の属する技術分野】
本発明は装置を冷却するためのファンモータを有する装置に関するものである。
【０００２】
【従来の技術】
図５〜図８を参照して、装置を冷却するためのファンモータや束線経路等の電気部品に対する静電対策について説明する。図５は網（鋼線）タイプの概略図、図６は平板タイプの概略図、図７は外装板金タイプの概略図、図８は空間タイプの概略図である。それぞれ（ａ）は略断面図、（ｂ）は略正面図である。また断面図の右側が装置の外側、左側が装置の内側である。
【０００３】
▲１▼網（鋼線）タイプ
ファンモータ１００は風路部に穴をあけた金属板１０１に網状の金属部材１０２とともにビスにより取り付けられている。帯電物が外側から近寄ってきた場合には網状金属部材１０２に放電する。外側が装置の外観で外装が必要である場合には網状金属部材１０２の外側に配置される。
【０００４】
▲２▼平板タイプ
平板状の金属部材１０３がファンモータ１００のモータ部をカバーするような形状であり、この金属部材１０３はビスにより装置側板１０４に取り付けられている。またその外側に外装部材が取り付けられており（不図示）、帯電物が外側から近寄ってきた場合には平板状の金属部材１０３に放電する。
【０００５】
▲３▼外装板金タイプ
ファンモータ１００が取り付けられている金属部材（側板等）１０５に風路用のルーバー形状が空けられている。帯電物が外側から近寄ってきた場合には金属部材１０５に放電する。外側が装置の外観で外装が必要である場合には金属部材（側板）１０５の外側に配置される。
【０００６】
▲４▼空間タイプ
ファンモータ１００と外装面１０６との間の距離を所定以上の距離ｄをとって配置する。この場合、帯電物が外側から近寄ってきた場合には所定以上の距離ｄをあけているために放電しない。
【０００７】
【発明が解決しようとする課題】
上記従来技術における静電対策を行うと、コストアップ（組立て工数、部品費）やファンの風路に金属部材を構成することによっての冷却効率低下、また装置外側から電気部品までの距離をとることによる装置の大型化などが生じる。
【０００８】
本発明は上記問題を解決するためになされたもので、装置のコンパクト化、冷却効率のアップおよび低コスト化を行うために安価で簡単な静電対策を行った装置を提供することにある。
【０００９】
【課題を解決するための手段】
上記目標を達成するために、本発明におけるファンモータやその近傍の束線経路等の電気部品に対する静電対策は、ファンモータの略中心および束線経路を通る鋼線を装置側板等の金属部材（接地されている部材）に取り付ける。この鋼線の取り付け方法は鋼線の両端部を装置側板等の金属部材（アースの取れている部材）に引っ掛けることと、鋼線自体のたわみにより取り付ける。
【００１０】
このような構成とすることで、必要以上の空間を電気部品と装置外側までの距離をとる必要がなく、またファンモータの風路をさえぎることなく、また取り付けのためにビス等を用いることなく簡単に組み立てることが出来る。
【００１１】
【発明の実施の形態】
（実施例）
（実施例１）
第１の実施例について図１〜図３を参照してレーザービームプリンタにおいての構成について説明する。図１はレーザビームプリンタの概略構成断面図、図２は右側面外観図、図３は第２ファン近傍の概略図である。
【００１２】
まず、図１、図２を参照してレーザビームプリンタの概略について説明する。レーザビームプリンタは電子写真方式によって画像を形成するものであり、搬送手段によってシート材Ｓを画像形成手段へ搬送してトナー像を転写し、そのシート材Ｓを定着手段へ搬送してトナー定着したあと、排出部へと排出するものである。具体的には、装置下部にシート材Ｓを積載収納するカセット１１が装填されている。シート材給送部１内のカセット１１内に積載収納されているシート材が、時計回り方向に回転する給紙ローラ１２によって最上位のシートから順に繰り出され、搬送ローラ対１３、１４により画像形成部２に送られる。
【００１３】
画像形成部２ではレーザースキャナー２１によって、画像情報に応じたレーザー光を反時計回り方向に回転している感光体２２上に照射され、感光体２２上には静電潜像が形成される。この静電潜像はプロセスカートリッジ２３内の現像部（不図示）にてトナー現像される。画像形成部２にて画像を未定着画像として転写され、定着部３に送られてくる。定着部３を通過して定着処理を終えたシート材は搬送ローラ対３１により搬送され排出される。なお図１の４は装置の電源部を有する電源電装部であり、４１は装置を制御する制御基板を有する制御部である。
【００１４】
次に冷却手段について説明する。電装部４、プロセスカートリッジ２３、レーザスキャナ２１の冷却を行うために第１ファンモータ５１が図１奥側側面に取り付けられている。またプロセスカートリッジ２３の冷却を行うために、第２ファンモータ５２が図１手前側側面に取り付けられている。これらファンモータ５１、５２の風路のためにルーバー６１が外装面に設けられている（第１ファンモータのルーバーは不図示）。
【００１５】
第２ファンモータ近傍の構成について説明する。第２ファンモータ５２を支持し、プロセスカートリッジ２３冷却のための風路を形成し、また制御基板までの束線をガイドする束線ガイドを有するファンダクト６２が本体右側板６３に取り付けられている。制御基板４１は基板ホルダ６４に支持されて、ビスにより締結されている。制御基板４１への束線は基板ホルダ６４およびファンダクト６２の束線ガイド部によりガイドされそれぞれ分配されている。装置を駆動させるためのモータ４２が第２ファンモータ５２の下部に取り付けられている。
【００１６】
静電ロッド７０が第２ファンモータ５２の略中心、ファンダクト６２の束線ガイド部、基板ホルダ６４の束線ガイド部を通るような形状で装置本体の前ステー６５（金属部材で接地している）に設けられた取り付け穴部６６と基板ホルダ６４の引っ掛け部６７に取り付けられる。静電ロッド７０は取り付け時にたわませることで取り付ける。
【００１７】
まず、前ステー６５の穴部６６に取り付けた後に静電ロッド７０を矢印Ｃ方向にたわませ、基板ホルダ６４の引っ掛け部６７を矢印ｄ方向にたわませ取り付ける。取り付けた後は静電ロッド７０自体のたわみで保持される。この時、静電ロッド７０は束線、ファンモータ５２やモータ４２よりも外側（外装６８に近い側）位置する。また、ルーバー部６１の下端部に静電ロッド７０を配置させる。上記構成でファンのルーバー部６１の外側から高電位に帯電したものが来た場合には、静電ロッド７０に放電し、他の電気部品には放電しない。
【００１８】
また、取り付け時には基板ホルダ６４を利用して引っ掛ける構成としたが、本体右側板６３から引っ掛け部を切り起こして取り付けてもかまわない。
【００１９】
（実施例２）
第２の実施例について図４を参照して説明する。図４は第２ファン近傍の概略図であり機械的構成は同様であるため同じ構成には同一の符号を示す。またレーザビームプリンタ概略、冷却手段についての説明は省略し、本発明の特徴部分についてのみ説明する。
【００２０】
本実施例における構成は、第２ファンモータ５２を支持し、プロセスカートリッジ２３冷却のための風路を形成し、また制御基板までの束線をガイドする束線ガイドを有するファンダクト６２が本体右側板６３に取り付けられている。制御基板４１は基板ホルダ６４に支持されて、ビスにより締結されている。制御基板４１への束線は基板ホルダ６４およびファンダクト６２の束線ガイド部によりガイドされそれぞれ分配されている。装置を駆動させるためのモータ４２が第２ファンモータ５２の下部に取り付けられている。静電ロッド７１が第２ファンモータ５２の略中心、ファンダクト６２の束線ガイド部を通るような形状で本体右側板（金属部材で接地している）６３に設けられた取り付け穴部７２とファンダクト６２の引っ掛け部７３に取り付けられる。
【００２１】
静電ロッド７１は取り付け時にたわませることで取り付ける。まず、本体右側板６３の穴部７２に取り付けた後に静電ロッド７１を矢印Ｃ方向にたわませ、ファンダクト６２の引っ掛け部７３に取り付ける。取り付けた後は静電ロッド７１自体のたわみで保持される。この時、静電ロッド７１は束線、ファンモータ５２やモータ４２よりも外側（外装６８に近い側）位置する。また、ルーバー部６１の下端部に静電ロッド７１を配置させる。上記構成でファンのルーバー部６１の外側から高電位に帯電したものが来た場合には、静電ロッド７１に放電し、他の電気部品には放電しない。
【００２２】
また、取り付け時にはファンダクト６２を利用して引っ掛ける構成としたが、本体右側板６３から引っ掛け部を切り起こして取り付けてもかまわない。
【００２３】
（他の実施例）
前述した実施例では画像形成装置としてレーザビームプリンタを例示したが、他の装置においても前記静電対策は適用しうることは明らかである。
【００２４】
【発明の効果】
本発明は、以上説明したようにファンモータの略中心および束線経路を通る鋼線を装置側板等の金属部材（接地されている部材）に取り付ける。この鋼線の取り付け方法は鋼線の両端部を装置側板等の金属部材（アースの取れている部材）に引っ掛けることと、鋼線自体のたわみにより取り付ける構成とすることにより下記に記載する効果を奏する。
【００２５】
必要以上の空間（距離）を電気部品と装置外側の間でとる必要がなく装置をコンパクトにすることが出来、またファンモータの風路を必要以上にさえぎることがないために冷却効率が良く、また取り付けのためにビス等を用いることなく簡単に組み立てることが出来るためにコストダウンにつながる。
【図面の簡単な説明】
【図１】本発明の第１の実施形態である画像形成装置の略断面図
【図２】図１の右側面外観図
【図３】本発明の第１の実施形態である第２ファン近傍の概略図
【図４】本発明の第２の実施形態である第２ファン近傍の概略図
【図５】従来のファンモータへの静電対策概略図
【図６】従来のファンモータへの静電対策概略図
【図７】従来のファンモータへの静電対策概略図
【図８】従来のファンモータへの静電対策概略図
【符号の説明】
１    シート材給送部
１４  搬送ローラ
２    画像形成部
２２  感光体
２４  転写ローラ
３    定着部
４    電装部
５２  第２ファンモータ
７０  静電ロッド
７１  静電ロッド
【図１】
2004156507.tif 000003
【図２】
2004156507.tif 000004
【図３】
2004156507.tif 000005
【図４】
2004156507.tif 000006
【図５】
2004156507.tif 000007
【図６】
2004156507.tif 000008
【図７】
2004156507.tif 000009
【図８】
2004156507.tif 000010